(57)【特許請求の範囲】
【請求項１】
スリッパの表裏両面を保持し横向きのスリッパを摺動可能な複数本のレールを垂直又は略垂直に配置し、前記スリッパの入口を上端に有する表面側レールの下端部は、スリッパの裏面方向へ湾曲する下に凸の半円を形成しており、また、スリッパの前記表面側レールに対向する第１裏面側レールは前記表面側レールの半円部分より上方で途切れており、
前記表面側レールの半円部分の上部には第１モータで駆動されるベルトコンベアがベルトを上下に循環させる向きに設置されており、前記ベルトコンベアのベルトには所定の間隔を隔てて突起が設けられており、前記半円部分に続く表面側レールは、前記ベルトコンベアの上昇する側のベルトにスリッパ裏面を向けてベルトに平行に上方へ延び、
表面側レールは、ベルトコンベアの上方でベルトコンベアと反対側へ湾曲する上に凸の半円を形成しており、かつ前記上に凸の半円のベルトコンベアと反対側の下端から先はスリッパを自重で落下可能に下方へ延びており、前記上に凸の半円部分からスリッパ裏面を支持する第２裏面側レールが表面側レールと所定の間隔を隔てて対向設置されており、前記表面側レール及び第２裏面側レールの末端付近に第２モータで駆動されスリッパ表面側に係合する羽根車を設置し、ベルトコンベアで上昇するスリッパの表裏両面を照射可能に紫外線灯が設置されており、
スリッパが搬送途上で紫外線により消毒され、消毒済みのスリッパが羽根車により１個ずつ排出されることを特徴とするスリッパ消毒供給装置。
【請求項２】
前記入口上方のスリッパの返却部に９０度回転可能なスリッパ受を兼ねるヒンジ及びスリッパ排出後元に戻すばねを設け、１足のスリッパを返却部に縦向きに入れると、返却部が９０度回動して、スリッパの向きを横向きに変更して前記入口へ落とし、横向きになったスリッパを搬送、消毒及びストックする請求項１に記載のスリッパ消毒供給装置。
【請求項３】
羽根車を通過して落下する横向きの消毒済みスリッパの踵部分が当接する壁を設け、前記壁にスリッパの踵が当接してつま先部分が下方を向き、スリッパが取出口へ移動する途中で横向きから縦向きに変更される請求項１又は２に記載のスリッパ消毒供給装置。
【発明の詳細な説明】
【０００１】
【発明の属する技術分野】
本発明は、スリッパを消毒し、消毒済みのスリッパを供給するスリッパ消毒供給装置に関するものである。
【０００２】
【従来の技術】
小規模病院や診療所では院内の環境維持のため土足禁止にして、スリッパを着用している例が多い。しかしそこで使用されるスリッパは、来院者が共用で使用する事や、洗浄や殺菌が行われないため、微生物レべルでは相当に汚染されている。また昨今の清潔志向が高まる傾向の中で、他人の使用したスリッパをそのまま使用する事に抵抗を感じる人が増えている。
上記の様な状況の中で、スリッパ消毒殺菌器なるものはすでに存在しているが、そのほとんどは扉付きの下駄箱に紫外線ランプを取り付けたものである。
【０００３】
【発明が解決しようとする課題】
上記の従来のスリッパ消毒殺菌器では、紫外線ランプが照射出来ない部分は殺菌できず、特に下駄箱タイプの消毒殺菌器は、取り出し易い箇所のスリッパばかりが使用され、取り出し易い箇所に収納された使用頻度の高いスリッパほど充分な殺菌時間が確保できない。又、来院者がスリッパを取り出す際又は収納する際に、来院者自身が紫外線を浴びてしまう。
本発明は、上記の不具合を解消するスリッパ消毒供給装置を提供することを目的としている。
【０００４】
【課題を解決するための手段】
第１発明は、スリッパの表裏両面を保持し横向きのスリッパを摺動可能な複数本のレールを垂直又は略垂直に配置し、前記スリッパの入口を上端に有する表面側レールの下端部は、スリッパの裏面方向へ湾曲する下に凸の半円を形成しており、また、スリッパの前記表面側レールに対向する第１裏面側レールは前記表面側レールの半円部分より上方で途切れており、前記表面側レールの半円部分の上部には第１モータで駆動されるベルトコンベアがベルトを上下に循環させる向きに設置されており、前記ベルトコンベアのベルトには所定の間隔を隔てて突起が設けられており、前記半円部分に続く表面側レールは、前記ベルトコンベアの上昇する側のベルトにスリッパ裏面を向けてベルトに平行に上方へ延び、表面側レールは、ベルトコンベアの上方でベルトコンベアと反対側へ湾曲する上に凸の半円を形成しており、かつ前記上に凸の半円のベルトコンベアと反対側の下端から先はスリッパを自重で落下可能に下方へ延びており、前記上に凸の半円部分からスリッパ裏面を支持する第２裏面側レールが表面側レールと所定の間隔を隔てて対向設置されており、前記表面側レール及び第２裏面側レールの末端付近に第２モータで駆動されスリッパ表面側に係合する羽根車を設置し、ベルトコンベアで上昇するスリッパの表裏両面を照射可能に紫外線灯が設置されており、スリッパが搬送途上で紫外線により消毒され、消毒済みのスリッパが羽根車により１個ずつ排出されることを特徴とするスリッパ消毒供給装置である。
第２発明は、前記入口上方のスリッパの返却部に９０度回転可能なスリッパ受を兼ねるヒンジ及びスリッパ排出後元に戻すばねを設け、１足のスリッパを返却部に縦向きに入れると、返却部が９０度回動して、スリッパの向きを横向きに変更して前記入口へ落とし、横向きになったスリッパを搬送、消毒及びストックする第１発明のスリッパ消毒供給装置である。
第３発明は、羽根車を通過して落下する横向きの消毒済みスリッパの踵部分が当接する壁を設け、前記壁にスリッパの踵が当接してつま先部分が下方を向き、スリッパが取出口へ移動する途中で横向きから縦向きに変更される第１発明又は第２発明のスリッパ消毒供給装置である。
【０００５】
【発明の実施の形態】
図１はスリッパ消毒供給装置１００の一部縦断側面略図を示しており、図２はスリッパ消毒供給装置１００の正面略図を示している。図１において、ハウジング１の上部前面には、詳しくは後述するスリッパ受２が設けられている。スリッパ受２の下方には、表面側レール３ａ〜３ｄ（図２）及び第１裏面側レール４ａ、４ｂ（図２）がそれぞれ垂直に設けられている。
【０００６】
表面側レール３ａ、３ｂは、後述するスリッパ５ｂ〜５ｇの足入れ部２５ｂ〜２５ｅ（図２）をガイド可能に間隔Ｌ１だけ隔てて配置されており、同じく表面側レール３ｃ、３ｄは、スリッパ６ｂ〜６ｇ（図２では６ｆ、６ｇは示さず。）の足入れ部２６ａ〜２６ｇ（図２では２６ｆ、２６ｇは示さず。）をガイド可能に間隔Ｌ１だけ隔てて配置されている。
【０００７】
図２に示すように第１裏面側レール４ａは、表面側レール３ａ、３ｂの間隔Ｌ１の中央で、表面側レール３ａ、３ｂに対して後述するスリッパ５ａの底板１５ａ（図１）の厚みＷ（図１）より若干広い間隔Ｌ２（図１）を後方に隔てて配置されており、同様に第１裏面側レール４ｂは、表面側レール３ｃ、３ｄの間隔Ｌ１の中央で、厚みＷより若干広い間隔Ｌ２を後方に隔てて配置されている。
【０００８】
図１に示すように表面側レール３ａは、下方において第１裏面側レール４ａの方向（後方）へ湾曲する下に凸の第１半円部３０ａを形成しており、第１裏面側レール４ａは表面側レール３ａの第１半円部３０ａの上方で途切れている。図示していないが、表面側レール３ｂ〜３ｄも第１半円部３０ａと同心に第１半円部３０ｂ〜３０ｄ（図示せず）を形成しており、第１裏面側レール４ｂは第１裏面側レール４ａと同じ高さで途切れている。
【０００９】
図１に示すように表面側レール３ａは、第１半円部３０ａの前端に前端直線部９０の下端が接続され、また、第１半円部３０ａの後端（図１で見て右端）は、上方へ垂直に延びて中央直線部９１を形成している。図示していないが、表面側レール３ｂ〜３ｄも表面側レール３ａと同様に第１半円部（図示せず）を形成し、図示しない第１半円部の後端から表面側レール３ａの中央直線部９１と平行に上方へ延びている。
【００１０】
表面側レール３ａ、３ｂの前端直線部９０の上端と第１裏面側レール４ａの上端で形成したスリッパ入口９９は、スリッパ受２に対向している。図１に示すように、前端直線部９０の上端は、上方へいくほど前方（図１で見て左方）へ湾曲させ、スリッパ５ａが表面側レール３ａ、３ｂと第１裏面側レール４ａの間に入り易く構成している。
【００１１】
中央直線部９１の上端には上に凸の第２半円部３０ｂの前端が接続されている。第２半円部３０ｂの後端は、垂直に設置した後端直線部９２の上端と接続されている。
【００１２】
後端直線部９２の下方にはスリッパを摺動落下させる斜面１０に連続する断面が円弧の壁１１が設けられている。壁１１の前方（図１で見て左方）には図示しないモータで駆動される羽根車８が設置されている。羽根車８は、４つの羽根を有しており、４つの羽根はそれぞれ９０度の等間隔で軸８ａに固着されている。軸８ａは、図示しないモータで９０度ずつ時計回りに回転しては停止する。
【００１３】
下に凸の第１半円部３０ａの上方には、ベルト２１が前後に配置されたベルトコンベア２０が垂直に設けられている。ベルト２１の表面には、等間隔に突起２１ａが設けてある。
【００１４】
ベルト２１は、表面側レール３ａの中央直線部９１と対向する側が上昇し、左端直線部９０に対向する側が下降するように循環する。中央直線部９１側のベルト２１と中央直線部９１を挟んで紫外線灯９ａ、９ｂが設置されている。また、紫外線灯９ａ付近にはスリッパを検知する赤外線センサ１９が設置されている。
【００１５】
表面側レール３ａの第２半円部３０ｂと、表面側レール３ｂの第２半円部（図示せず）の中央の上方には、第２裏面側レール４ｃの半円部４０ａが第２半円部３０ｂと同心に設けられている。第２裏面側レール４ｃの半円部４０ａの後端は、表面側レール３ａの後端直線部９２と平行な直線部４０ｂの上端と滑らかに連続している。
【００１６】
図２に示すように斜面１０には、横姿勢で落下してきたスリッパの踵部分が衝突するガイド壁５０ａ、５０ｂが設置されている。ガイド壁５０ａ、５０ｂの中間には仕切５１が設けられている。
【００１７】
図１に示すように斜面１０上には窪み１０ａが設けられており、窪み１０ａにはリミットスイッチ１８が設置されている。リミットスイッチ１８の端子（図示せず）は、スリッパ５ｚの底板に押圧されるとＯＦＦ状態となり、スリッパ５ｚが取り出されて押圧が解除されるとＯＮ状態となる。
【００１８】
図１、図２に示すように、スリッパ受２が表面側レール３ａ〜３ｄ及び第１裏面側レール４ａ、４ｂの上方に設置されている。図２に示すようにスリッパ受２は、軸２５を中心に左回動するピース２ａと、軸２６を中心に右回動するピース２ｂから成る左右対称のＬ字形を構成している。ピース２ａ、２ｂの下部にはねじりばね３０が設けられている。
【００１９】
図２に示すようにスリッパ受２にはスリッパ５ａ、６ａの滑止め２７、２８が設けられており、スリッパ受２が回動した際につま先部分が踵部分よりも先に落下しないようになっている。
【００２０】
図１に示すようにスリッパ受２にはスリッパ５ａの底板１５ａをガイドする板２９が設けられている。図示していないが板２９は、スリッパ６ａの底板もガイドしており、図１に示すようにスリッパ５ａ、６ａを支持可能に後方へ傾斜している。
【００２１】
左足用のスリッパ５ａ〜５ｚと右足用のスリッパ６ａ〜６ｚは、スリッパ消毒供給装置１００内において、左右対称に動作するので、以下においては左足用のスリッパ５ａ〜５ｚの動作のみを説明する。
【００２２】
図２に示すようにスリッパ５ａがスリッパ受２に返却されると、スリッパ５ａの自重でスリッパ受２のピース２ｂが軸２６（図２、図３）を中心に図２で見て時計回りに回動し、スリッパ５ａは表面側レール３ａ、３ｂと第１裏面側レール４ａの間のスリッパ入口９９に落下する。その際、スリッパ５ａのつま先部分は滑止め２７に当接し、図２のスリッパ５ｂで示す足入れ部２５ａが表面側レール３ａ、３ｂの間に入るように横姿勢になって落下する。スリッパ５ａがピース２ｂから落下すると、ピース２ｂはねじりばね３０により図２に示す状態に戻る。
【００２３】
落下したスリッパ５ａは、図１においてスリッパ５ｂ〜５ｇで示すように表面側レール３ａ、３ｂ及び第１裏面側レール４ａに沿って落下する。スリッパ５ｈ、５ｉは表面側レール３ａ、３ｂで支持されている。
【００２４】
ベルトコンベア２０により、ベルト２１を矢印Ａの方向へ循環させると、スリッパ５ｉの裏面に突起２１ａが噛込み、スリッパ５ｉはベルト２１と表面側レール３ａ、３ｂに挟まれた状態で上昇する。突起２１ａは、弾性を有するゴムから成り、スリッパを押圧する際に変形する。
【００２５】
図１に示すように、ベルトコンベア２０の途中に赤外線センサ１９が設けられており、上昇するスリッパ５ｎは赤外線センサ１９に検知され、紫外線灯９ａ、９ｂが点灯し紫外線がスリッパ５ｎに照射される。
【００２６】
図示しないタイマにより消毒時間を例えば３分と設定しておき、赤外線センサ１９がスリッパ５ｎを検知してから３分経過するまでベルトコンベアは停止させておく。スリッパ５ｎの消毒が完了すると、ベルトコンベア２０を駆動し、ベルト２１を循環させる。赤外線センサ１９がスリッパ５ｌを検知すると再度ベルトコンベア２０を停止させ、紫外線がスリッパ５ｌに照射される。
【００２７】
このように各スリッパは消毒され、図１に示すようにベルト２１及び中央直線部９１に沿って下から順にスリッパ５ｊ〜５ｑというスリッパの配列を形成する。スリッパ５ｐ、５ｑは、ベルト２１上にはないが、スリッパ５ｏに押し上げられて上に凸の第２半円部３０ｂ上に位置している。
【００２８】
スリッパ５ｐ、５ｑは、更に下方のスリッパ５ｊ〜５ｏに押し上げられて、第２半円部３０ｂの頂点を過ぎると自重で落下し、図１に示すスリッパ５ｒ〜５ｘのように後方直線部９２に蓄積される。ここでスリッパ５ｘは羽根車８で支持されている。
【００２９】
スリッパ５ｚが、取出口４０から取り出されると、スリッパ５ｚの底板で押圧されていたリミットスイッチ１８がＯＮ状態となり、羽根車８が時計回りに９０度回動し、スリッパ５ｙを排出し、スリッパ５ｙは斜面１０上を落下する。
【００３０】
スリッパ５ｙの踵部分は図２に示す壁５０ａに衝突し、つま先部分が下方を向き、図１、図２においてスリッパ５ｚで示す位置で停止し、リミットスイッチ１８を押圧してＯＦＦ状態にする。
【００３１】
スリッパをベルトコンベア２０で上昇させる際、図４及び図４のV−V断面図である図５に示すような寸法関係（単位ｍｍ）にすると円滑にスリッパを搬送することができる。
【００３２】
紫外線灯９ａ、９ｂは、図１で見て紙面に垂直な方向に伸びる細長い形状のものを使用すると、スリッパ５ｎの足を入れる部分にも紫外線を照射することができる。また、ベルト２１及び表面側レール３ａ、３ｂの中央直線部９１の部分をメッシュ状にすることにより、スリッパ５ｎを支持している部分にも紫外線を照射することができる。
【００３３】
図１において、上に凸の第２半円部３０ｂ上及び後端直線部９２上に消毒済みのスリッパが充填され、かつ中央直線部９１上に消毒済みのスリッパ５ｏがあり、かつスリッパ５ｊ〜５ｎがなく、前端直線部９０上にスリッパが全くない状態で新たにスリッパがスリッパ受２に返却されると、返却されたスリッパは、自重でスリッパ５ｉ（図１）で示す位置まで落下し、ベルトコンベア２０により中央直線部９１に沿って上昇させられる。
【００３４】
その際、スリッパ５ｏはスリッパ５ｐ〜５ｘに押圧されてその位置を変えることはできないが、ベルト２１上に設けられた突起２１ａは、スリッパ５ｏの裏面を摺動してすり抜けていくため、ベルトコンベア２０は、新たに返却されたスリッパを上昇させるために矢印Ａ方向に循環することができる。
【００３５】
これは、スリッパが返却されて、次に別のスリッパが返却されるまでの時間的間隔が相当（消毒時間以上）開いた時に起こり得る。しかし、本実施の形態では、このような事態が発生しても図５に示すように、表面側レール３ａ、３ｂとベルト２１の間隔を開き、かつ突起２１ａを弾性を有するゴムで形成したことにより、容易にスリッパ同士の間隔を詰めることができ、無駄な空間を生じさせることなくスリッパを収容することができる。
【００３６】
【発明の効果】
第１発明を適用すると、スリッパを横向きの姿勢で搬送及びストックするので、従来のスリッパ消毒装置よりもスリッパ消毒供給装置内に多数のスリッパを収容することができ、かつ装置の省スペース化を図ることができる。
【００３７】
第２発明を適用すると、左右のスリッパを揃えて、つま先部分を下にして返却口に入れるだけで自動的にスリッパを横向きにすることができる。従って、手荷物で片手が塞がっていても、片手が空いていれば一動作でスリッパを返却口へ入れることができる。
【００３８】
第３発明を適用すると、横向きに排出された消毒済みのスリッパを容易につま先を下方（前方）にして待機させることができ、取出口から取出し易くなる。
【００３９】
従来の下駄箱式殺菌器のように、取り出し易い箇所の特定のスリッパのみが頻繁に使用されるということがなく、収納された順に取出口から取り出されるため、各スリッパの使用頻度に差が生じず、十分な殺菌（消毒）時間を確保することができる。
【００４０】
スリッパをスリッパ消毒供給装置に入れた順に取り出すことができる構造にする事により、スリッパの先入れ先出しが確実になり、全てのスリッパに対して十分な殺菌時間を確保することが出き、又、装置内部でスリッパを消毒するため、紫外線が外部に漏れず、来院者（使用者）が紫外線を浴びることがない。
【図面の簡単な説明】
【図１】  スリッパ消毒供給装置の一部縦断側面略図である。
【図２】  スリッパ消毒供給装置の正面略図である。
【図３】  スリッパ消毒供給装置の正面略図である。
【図４】  スリッパ消毒供給装置の部分詳細側面図である。
【図５】  図４のV−V断面図である。
【符号の説明】
２      スリッパ受
３ａ    表面側レール
４ｃ    第２裏面側レール
５ａ〜５ｚ  スリッパ
６ａ〜６ｚ  スリッパ
８      羽根車
８ａ    軸
９ａ、９ｂ  紫外線灯
２０    ベルトコンベア
２１    ベルト
２１ａ  突起
２２    モータ
３０    ねじりばね
３０ａ  第１半円部
３０ｂ  第２半円部
４０ｂ  直線部
５０ａ、５０ｂ  壁
【図１】
0003692213.tif 000002
【図２】
0003692213.tif 000003
【図３】
0003692213.tif 000004
【図４】
0003692213.tif 000005
【図５】
0003692213.tif 000006